(57)【要約】【課題】  光オフセット成分を検知して補正するための設定制御動作において、レンズホルダを簡単に傾けることができるようにする。【解決手段】  光ディスクＤが装填される度に設定制御が行われる。この設定制御では、トラッキングコイルＣｔに通電されてレンズホルダ１５がラジアル方向（Ｒａｄ）へ移動させられ、その後、フォーカスコイルＣｆに通電されてレンズホルダ１５が下降させられる。このとき、レンズホルダ１５の下部当接部１５ｂが規制部７に当たって、レンズホルダ１５が傾けられる。この状態で、検知光が光ディスクＤの表面Ｄｓに合焦しても、その戻り光が受光素子で受光されることがなく、迷い光によるオフセット成分を正確に検知できるようになる。【選択図】図４
2014116041.tif 000002
【特許請求の範囲】
【請求項１】
ピックアップベースと、ディスクに対向する対物レンズを搭載したレンズホルダと、前記ピックアップベースに対して前記レンズホルダを動作自在に支持する弾性支持部材と、前記レンズホルダを前記対物レンズの光軸方向へ移動させるフォーカス補正機構と、前記レンズホルダを光軸方向と交差するラジアル方向へ移動させるトラッキング補正機構と、前記フォーカス補正機構と前記トラッキング補正機構を制御するサーボ制御部と、を有する光ピックアップ装置において、
前記トラッキング機構が制御されて、前記レンズホルダがラジアル方向へ向けてトラッキング補正範囲を超える距離だけ移動させられたときに、前記レンズホルダのラジアル方向の一方の側の下部に下方から対向する規制部が設けられており、
前記サーボ制御部では、前記トラッキング機構を制御して、前記レンズホルダをラジアル方向へトラッキング補正範囲を超える距離だけ移動させ、さらにレンズホルダを下方へ移動させて、前記レンズホルダの前記下部と前記規制部との当接部を支点として前記レンズホルダを傾ける設定制御が行われることを特徴とする光ピックアップ装置。
【請求項２】
前記設定制御が行われているときに、前記フォーカス補正機構を動作させるフォーカス駆動信号のオフセット補正が行われる請求項１記載の光ピックアップ装置。
【請求項３】
前記設定制御が行われているときに、前記トラッキング補正機構を動作させるトラッキング駆動信号のオフセット補正が行われる請求項２記載の光ピックアップ装置。
【請求項４】
前記設定制御が行われるときに、前記フォーカス機構によって前記レンズホルダを下方へ移動させる距離が、フォーカス補正範囲内である請求項１ないし３のいずれかに記載の光ピックアップ装置。
【請求項５】
前記設定制御が行われるときに、前記トラッキング機構によって前記レンズホルダをトラッキング補正範囲を超えて移動させる距離が、フォーカス補正範囲での可動領域の絶対値以下である請求項１ないし４のいずれかに記載の光ピックアップ装置。
【請求項６】
前記弾性部材は、前記光軸方向と前記ラジアル方向の双方に対して直交するタンゼンシャル方向へ延びる弾性体ワイヤであり、前記弾性体ワイヤの光軸方向の断面係数とラジアル方向の断面係数とが同一である請求項５記載の光ピックアップ装置。
【発明の詳細な説明】
【技術分野】
【０００１】
本発明は、フォーカス補正動作とトラッキング補正動作を行う光ピックアップ装置に係り、特に、ディスク装填時などにレンズホルダを傾けてオフセット成分を検出する光ピックアップ装置に関する。
【背景技術】
【０００２】
ＣＤやＤＶＤなどの各種光ディスクに記録された情報を再生する光ピックアップ装置は、ディスクの記録面に検知光を集光させる対物レンズと、この対物レンズを保持するレンズホルダとを有している。
【０００３】
光ピックアップ装置には、レンズホルダを対物レンズの光軸方向へ移動させるフォーカス補正機構が設けられて、対物レンズからディスクの記録面に向けて集光される検知光の合焦点が前記記録面に一致するようにフォーカス補正動作が行われる。また、レンズホルダを光軸と直交するラジアル方向へ移動させるトラッキング補正機構が設けられて、ディスクの記録面の記録トラックに対して前記検知光の合焦点を追従させるトラッキング補正動作が行われる。
【０００４】
光ピックアップ装置では、ディスクの記録面で反射される反射光を検知する受光素子が設けられており、受光素子による受光検知出力に基づいて、情報の再生が行われるとともに、前記受光検知出力に基づいて、フォーカスエラー信号とトラッキングエラー信号が検出される。サーボ制御部ならびにフォーカスサーボ回路とトラッキングサーボ回路では、前記フォーカスエラー信号とトラッキングエラー信号に基づいて、フォーカス補正機構とトラッキング補正機構の動作制御が行われる。
【０００５】
しかし、実際の光ピックアップ装置では、前記フォーカスエラー信号とトラッキングエラー信号に、対物レンズとディスクの記録面との相対位置に起因するエラー信号とは無関係なオフセット成分が重畳する問題点がある。このオフセット成分が過大であると、フォーカス補正動作とトラッキング補正動作が正確に行われなくなり、補正動作エラーが発生しやすくなる。
【０００６】
前記オフセット成分は、電気回路に起因する電気オフセット成分と、発光素子から発せられる検知光がディスクの記録面以外の例えば金属部品などで反射されて受光素子に入り込むことに起因する光オフセット成分とに大別できる。前記電気オフセット成分については、電気回路で補正することが可能である。例えば、検知光を発生する発光素子の動作を停止させた状態で、受光素子からの受光信号をモニターし、そのモニター値に基づいて電気オフセット成分を演算することで解消することが可能である。
【０００７】
また、光オフセット成分は、発光素子が動作している状態で、記録面に対して検知光を合焦させない状態を設定し、記録面から検知光が戻らない状態で、受光素子で光をモニターし、そのモニター値から光オフセット成分を演算することで対策することが可能である。
【０００８】
従来は、新たなディスクが装填された直後などに、フォーカス駆動機構を動作させて、レンズホルダをディスクから離す方向へ移動させ、記録光が記録面に合焦しないようにして、記録面からの反射光が受光素子に戻らない状態を強制的に設定し、このときに受光素子からの受光検知出力をモニターすることで、前記対策が行われている。
【０００９】
しかしながら、レンズホルダをディスクから離す動作のみでは、ディスクからの戻り光を完全に消去することができないことがある。例えば、レンズホルダをディスクから離す方向へ移動させたときに、検知光の合焦点がディスクのカバー層の表面に偶然に一致することがあると、この表面から多くの光が反射されて受光素子で受光され、この受光成分が光オフセット成分として誤って検知されてしまう。その結果、光オフセット成分が誤った補正値で補正されることになる。
【００１０】
以下の特許文献１に記載されたディスク装置では、レンズホルダを下死点に移動させた時点で、レンズホルダを傾け、これによりディスクのカバーの表面からの反射光が受光素子に戻らないようにしている。
【００１１】
しかし、特許文献１には、レンズホルダをどのようにして傾けるかの説明がなされていない。仮に、フォーカス補正機構とトラッキング補正機構や他の補正機構を使用して、レンズホルダを傾ける駆動を行う場合には、その動作のために多くの補正電流が必要となり、またレンズホルダを支持している弾性支持部材に過大な歪みが発生し、弾性支持部材に疲労が蓄積される問題が生じる。
【先行技術文献】
【特許文献】
【００１２】
【特許文献１】特開２００２−２２２５３０号公報
【発明の概要】
【発明が解決しようとする課題】
【００１３】
本発明は上記従来の課題を解決するものであり、弾性支持部材に無理な歪みを与えることなくレンズホルダを傾けることができ、ディスクのカバー表面からの戻り光が受光素子で検知されるのを防止できるようにし、正確なオフセット補正が行われるようにした光ピックアップ装置を提供することを目的としている。
【課題を解決するための手段】
【００１４】
本発明は、ピックアップベースと、ディスクに対向する対物レンズを搭載したレンズホルダと、前記ピックアップベースに対して前記レンズホルダを動作自在に支持する弾性支持部材と、前記レンズホルダを前記対物レンズの光軸方向へ移動させるフォーカス補正機構と、前記レンズホルダを光軸方向と交差するラジアル方向へ移動させるトラッキング補正機構と、前記フォーカス補正機構と前記トラッキング補正機構を制御するサーボ制御部と、を有する光ピックアップ装置において、
前記トラッキング機構が制御されて、前記レンズホルダがラジアル方向へ向けてトラッキング補正範囲を超える距離だけ移動させられたときに、前記レンズホルダのラジアル方向の一方の側の下部に下方から対向する規制部が設けられており、
前記サーボ制御部では、前記トラッキング機構を制御して、前記レンズホルダをラジアル方向へトラッキング補正範囲を超える距離だけ移動させ、さらにレンズホルダを下方へ移動させて、前記レンズホルダの前記下部と前記規制部との当接部を支点として前記レンズホルダを傾ける設定制御が行われることを特徴とするものである。
【００１５】
本発明の光ピックアップ装置は、レンズホルダをラジアル方向へ移動させ、且つ下方へ移動させる単純な動作制御を行うだけで、レンズホルダを傾けることができ、例えば検知光の集光点がディスクのカバー表面に合焦した場合であっても、前記カバー表面からの戻り光が受光素子で検知されるのを防止しやすくなる。
【００１６】
本発明は、前記設定制御が行われているときに、前記フォーカス補正機構を動作させるフォーカス駆動信号のオフセット補正が行われる。さらには、前記設定制御が行われているときに、前記トラッキング補正機構を動作させるトラッキング駆動信号のオフセット補正が行われる。
【００１７】
本発明は、前記設定制御が行われるときに、前記フォーカス機構によって前記レンズホルダを下方へ移動させる距離が、フォーカス補正範囲内であることが好ましい。
【００１８】
さらには、前記設定制御が行われるときに、前記トラッキング機構によって前記レンズホルダをトラッキング補正範囲を超えて移動させる距離が、フォーカス補正範囲での可動領域の絶対値以下であることが好ましい。
【００１９】
上記手段では、設定制御のときにレンズホルダを光軸方向とラジアル方向とへ動かす距離を短くでき、弾性支持部材に過大な応力が作用するのを避けることができる。
【００２０】
本発明は、前記弾性部材は、前記光軸方向と前記ラジアル方向の双方に対して直交するタンゼンシャル方向へ延びる弾性体ワイヤであり、前記弾性体ワイヤの光軸方向の断面係数とラジアル方向の断面係数とが同一であることが好ましい。
【発明の効果】
【００２１】
本発明は、フォーカス補正機構とトラッキング補正機構を使用して、レンズホルダをラジアル方向と下方向の２方向へ駆動するだけで、レンズホルダを傾かせる設定制御が可能になる。
【００２２】
また、レンズホルダの前記２方向への移動距離を大きくする必要がないため、過大な駆動電流が不要であり、また弾性支持部材の歪みも過大にならない。
【図面の簡単な説明】
【００２３】
【図１】本発明の実施の形態の光ピックアップ装置を示す斜視図、
【図２】光ピックアップ装置とこれに付随する制御回路の一部を示す回路ブロック図、
【図３】光ピックアップ装置の動作説明図、
【図４】光ピックアップ装置の動作説明図、
【図５】フォーカスエラー信号の説明図、
【発明を実施するための形態】
【００２４】
本発明の光ピックアップ装置は、ＣＤやＤＶＤなどの各種光ディスクの記録面に記録された情報を再生し、または記録面に情報を書き込むためのものである。
【００２５】
図２ないし図４に示す光ディスクＤはＣＤである。ＣＤの光ディスクＤは、記録面Ｄｄに設定される記録トラックに、複数のピットで表現される情報が記録されている。記録面Ｄｄの表面は透明樹脂のカバーＤｃに覆われている。ＣＤでは、カバーＤｃの厚みＴｄが約１．２ｍｍである。光ディスクＤが装填されるディスク装置には、スピンドルモータとこのスピンドルモータで回転させられるターンテーブルが設けられており、光ディスクＤの中心穴がターンテーブルにクランプされる。
【００２６】
図１ないし図４に示す実施の形態の光ピックアップ装置１には、移動ベース２が設けられている。ディスク装置には案内機構が設けられ、移動ベース２が光ディスクの記録面Ｄｄに沿って半径方向であるラジアル方向（Ｒａｄ）へ往復移動自在に案内されており、且つスクリュー軸などを有する送り機構によって、移動ベース２が移動させられる。
【００２７】
移動ベース２に、図１に示すピックアップユニット１０が搭載されている。ピックアップユニット１０はピックアップベース１１を有している。ピックアップベース１１は板金製であり、移動ベース２に固定されている。移動ベース２とピックアップベース１１との間に、傾き調整機構が設けられており、ピックアップユニット１０は、移動ベース２上で傾きを可変して固定することが可能である。
【００２８】
図１に示すように、ピックアップベース１１に支持体１２が固定されており、この支持体１２の背部に支持基板１３の中央部１３ａが固定されている。支持基板１３に弾性体ワイヤ１４の基部が固定されている。弾性体ワイヤ１４は、支持基板１３の左右両端部に２本ずつ固定され、合計４本の弾性体ワイヤ１４で弾性支持部材が構成されている。弾性体ワイヤ１４は、支持体１２に形成された開口部１２ａの内部を通過して、光ディスクＤの接線方向であるタンゼンシャル方向（Ｔａｎ）に向けて互いに平行に延びている。
【００２９】
ピックアップユニット１０はレンズホルダ１５を有している。レンズホルダ１５は合成樹脂製または軽金属製である。レンズホルダ１５の左右両側部には、ラジアル方向（Ｒａｄ）へ延びる支持突起１５ａが一体に形成されており、弾性体ワイヤ１４の先部がそれぞれ支持突起１５ａに固定されている。レンズホルダ１５は、４本の弾性体ワイヤ１４に支持されて、光軸方向（Ｆ）とラジアル方向（Ｒａｄ）ならびに、光軸方向とラジアル方向に対して角度を有する向きに移動可能である。
【００３０】
弾性体ワイヤ１４は鋼材で形成されており、その断面形状は真円形である。したがって、弾性体ワイヤ１４の光軸方向（Ｆ）での断面係数と、ラジアル方向（Ｒａｄ）での断面係数は同じである。よって、レンズホルダ１５が光軸方向（Ｆ）へ移動するときと、ラジアル方向（Ｒａｄ）へ移動するときとで、弾性係数が同じであり、同じ歪量に対する応力も同じである。また疲労に対する影響も同じである。
【００３１】
レンズホルダ１５の周囲にフォーカスコイルＣｆが巻かれている。レンズホルダ１５のタンゼンシャル方向（Ｔａｎ）に向く両側面に、トラッキングコイルＣｔが設けられている。それぞれの側面にトラッキングコイルＣｔが２個ずつ固定されている。
【００３２】
図１に示すように、ピックアップベース１１に一対のヨーク１１ａ，１１ｂが一体に折り曲げられており、それぞれのヨーク１１ａ，１１ｂにマグネットＭが固定されている。それぞれのマグネットＭは、レンズホルダ１５に搭載されたフォーカスコイルＣｆとトラッキングコイルＣｔの双方に対向している。
【００３３】
フォーカスコイルＣｆとマグネットＭとでフォーカス補正機構が構成されている。フォーカス補正機構では、フォーカスコイルＣｆにおいてラジアル方向（Ｒａｄ）に流れる電流とマグネットＭからの磁界とによって、レンズホルダ１５が光軸方向（Ｆ）へ向けて駆動される。
【００３４】
トラッキングコイルＣｔとマグネットＭとでトラッキング補正機構が構成されている。トラッキング補正機構では、トラッキングコイルＣｔで光軸方向（Ｆ）に流れる磁界とマグネットＭからの磁界とによって、レンズホルダ１５がラジアル方向（Ｒａｄ）へ向けて駆動される。
【００３５】
図２に示すように、レンズホルダ１５のラジアル方向（Ｒａｄ）の両側に、トラッキングストッパ６，６が設けられている。トラッキングストッパ６，６は、移動ベース２またはピックアップベース１１のいずれかに設けられている。このトラッキングストッパ６，６により、レンズホルダ１５がラジアル方向（Ｒａｄ）へ過大に動くことができないように規制されている。
【００３６】
図２に示すように、レンズホルダ１５には、ラジアル方向（Ｒａｄ）のいずれか一方の側の端部の下方に、下部当接部１５ｂが一体に形成されている。図２では、レンズホルダ１５がラジアル方向（Ｒａｄ）の中立位置にある。このとき、レンズホルダの下部当接部１５ｂの斜め下側に規制部７が対向している。規制部７は、移動ベース２またはピックアップベース１１のいずれかと一体に形成されている。または規制部７が別部品として形成されて、移動ベース２またはピックアップベース１１に固定されている。
【００３７】
図１に示すように、レンズホルダ１５に対物レンズ１６が保持されている。各図には、対物レンズ１６の有効径の中心を垂直に通過する光軸中心線Ｏが示されている。図２に示すように、移動ベース２には反射部材３が設けられており、光軸中心線Ｏが反射部材３の反射面に対向している。反射面の反射方向はタンゼンシャル方向（Ｔａｎ）であり、反射面からタンゼンシャル方向に距離を空けた位置に発光・受光ユニット４が装備されている。
【００３８】
発光・受光ユニット４に設けられた発光素子から発せられる検知光は、反射部材３の反射面で反射され、対物レンズ１６によって光ディスクＤの記録面Ｄｄに集光される。記録面Ｄｄから反射された反射光は、対物レンズ１６で捕捉され、反射部材３の反射面で反射されて、発光・受光ユニット４に設けられた受光素子で検知される。
【００３９】
図２に示すように、光ピックアップ装置１に付随する回路部２０では、発光・受光ユニット４の受光素子で検知された受光検知出力がＲＦアンプ２１に与えられる。受光検知出力のうち、光ディスクＤの記録面Ｄｄに記録されたピット情報によって光学的な影響を受けた再生出力信号は、ＲＦアンプ２１から復調部（図示せず）へ送られる。
【００４０】
受光検知出力のうちのフォーカスエラー信号はフォーカスサーボ回路２２に与えられ、フォーカスサーボ回路２２でフォーカス駆動信号が生成される。フォーカス駆動信号は駆動アンプ２３で電流に変換されてフォーカスコイルＣｆに与えられる。受光検知出力のうちのトラッキングエラー信号はトラッキングサーボ回路２４に与えられ、トラッキングサーボ回路２４でトラッキング駆動信号が生成される。トラッキング駆動信号は駆動アンプ２５で電流に変換されてトラッキングコイルＣｔに与えられる。
【００４１】
回路部２０に、サーボ制御部２６が設けられている。フォーカスサーボ回路２２とトラッキングサーボ回路２４はサーボ制御部２６によって制御される。
【００４２】
図２では、対物レンズ１６で集光される検知光の合焦点Ｐｆが、光ディスクＤの記録面Ｄｄに一致している。光ディスクＤが回転し、光ディスクＤの記録面Ｄｄが上下に振れると、合焦点Ｐｆが記録面Ｄｄに一致しなくなる。これがフォーカスエラー信号としてフォーカスサーボ回路２２に与えられると、フォーカスサーボ回路２２では、合焦点Ｐｆを記録面Ｄｄに一致させるためのフォーカス駆動信号が生成され、フォーカス駆動信号が電流に変換されてフォーカスコイルＣｆに与えられる。その結果、レンズホルダ１５が光軸方向（Ｆ）へ移動させられて、合焦点Ｐｆが記録面Ｄｄに一致するように補正される。
【００４３】
発光・受光ユニット４では、フォーカスエラー信号がビームサイズ法などよって検知される。図５には、レンズホルダ１５が動かない状態で、光ディスクＤが上下に移動したときのフォーカスエラー信号Ｅｆが示されている。合焦点Ｐｆが記録面Ｄｄに一致したとき、フォーカスエラー信号Ｅｆが合焦レベルＥ０に達する。
【００４４】
フォーカスエラー信号Ｅｆの合焦レベルＥ０は例えばゼロ電位などの基準電位Ｖ０に設定されることが好ましい。しかし、実際の光ピックアップ装置１では、フォーカスエラー信号Ｅｆにオフセット信号Δが重畳し、合焦レベルＥ０が基準電位Ｖ０から外れることが多い。このオフセット信号Δは回路部２０に起因する電気オフセット成分と、検知光が記録面Ｄｄ以外で反射された迷い光を主成分とする光オフセット成分とに大別される。
【００４５】
電気オフセット成分は、光ディスクＤが装着されている状態で、発光・受光ユニット４の発光素子からの検知光の発光を停止し、このときに発光・受光ユニット４の受光素子で受光される受光検知出力をサーボ制御部２６で解析することで検出することが可能である。サーボ制御部２６から電気オフセット成分を減算する補正値がフォーカスサーボ信号２２に与えられることで、電気オフセット成分を解消に近づけることが可能である。
【００４６】
光オフセット成分は、記録面Ｄｄと合焦点Ｐｆとが一致して記録面Ｄｄから反射される再生信号成分を含んだ反射光以外の受光成分であり、例えば、対物レンズ１６から上方へ発せられた検知光が、ディスク装置内の金属部品などに当たって反射される迷い光が受光素子で受光されることによって発生する。
【００４７】
したがって、この光オフセット成分を検出するには、光ディスクＤが装填されている状態で、発光・受光ユニット４の発光素子から検知光を発光させ、検知光の合焦点Ｐｆが光ディスクＤの記録面Ｄｄに一致しないようにレンズホルダ１５の姿勢を設定することが必要である。合焦点Ｐｆが記録面Ｄｄに一致していないときに受光素子で検知される受光検知出力をサーボ制御部２６で解析することで、光オフセット成分が検出される。サーボ制御部２６から光オフセット成分を減算する補正値がフォーカスサーボ信号２２に与えられることで、光オフセット成分を解消に近づけることが可能である。
【００４８】
電気オフセット成分を解消するための補正と、光オフセット成分を解消するための補正は、例えば新たな光ディスクＤがターンテーブルに装填されたときに、情報の再生動作に至る前の時点で毎回行われる。また、光ディスクＤが装填されたままディスク装置の電源が断たれたときは、電源が再投入される度に行われる。
【００４９】
また、光ディスクＤが回転すると、検知光の合焦点Ｐｆと、光ディスクＤの記録面Ｄｄに記録された記録トラックとが位置ずれすることがある。発光・受光ユニット４では３ビーム法などによって、合焦点Ｐｆと記録トラックとのずれ量に対応するトラッキングエラー信号が検出され、このトラッキングエラー信号がトラッキングサーボ回路２４に与えられる。トラッキングサーボ回路２４では、合焦点Ｐｆと記録トラックとの位置ずれ量に対応するトラッキング駆動信号が生成されてトラッキングコイルＣｔに与えられ、レンズホルダ１５がラジアル方向（Ｒａｄ）へ向けて駆動され、合焦点Ｐｆが記録トラックを追従するように補正される。
【００５０】
トラッキングエラー信号にも電気オフセット成分と光オフセット成分が重畳するため、フォーカスエラー信号のときと同様に、トラッキングエラー信号からオフセット信号を除去するための処理を行うことが必要である。この補正処理は、基本的に前述のフォーカスエラー信号に含まれるオフセット信号の補正と実質的に同じである。
【００５１】
以下、新たな光ディスクＤが装填され、またはディスク装置の電源が再投入されたときに、光オフセット成分を検出するための設定制御の動作について説明する。
【００５２】
この設定制御は主にサーボ制御部２６によって実行される。まず、サーボ制御部２６からトラッキングサーボ回路２４に第１の設定制御信号が与えられる。第１の設定制御信号によって、トラッキングサーボ回路２４からトラッキングコイルＣｔに設定電流が与えられ、図３に示すように、レンズホルダ１５がラジアル方向（Ｒａｄ）の一方向へ距離Ｚｔだけ移動させられる。この移動により、レンズホルダ１５の下部当接部１５ｂが、規制部７の上方に対向する。
【００５３】
その後、サーボ制御部２６からフォーカスサーボ回路２２に第２の設定制御信号が与えられて、フォーカスサーボ回路２２からフォーカスコイルＣｆに設定電流が与えられ、図４に示すように、レンズホルダ１５が下方へ移動させられる。この移動の途中で、下部当接部１５ｂと規制部７とが当たり、レンズホルダ１５が、下部当接部１５ｂと規制部７との当接部を支点として傾き、対物レンズ１６の光軸中心線Ｏが、光ディスクＤの記録面Ｄｄの垂線に対して角度θだけ傾けられる。
【００５４】
この状態では、検知光の合焦点Ｐｆと記録面Ｄｄとが一致しないため、記録面Ｄｄからの反射光が発光・受光ユニット４の受光素子に受光されない。さらに、合焦点Ｐｆが、光ディスクＤの記録面Ｄｄ以外の反射面に一致することがあったとしても、例えば合焦点Ｐｆが光ディスクＤのカバーＤｃの表面Ｄｓに一致することがあったとしても、その反射光の中心線は対物レンズ１６の光軸中心線Ｏに向けて戻らなくなるため、受光素子で検知光の不要な反射光が受光されるのを防止できるようになる。
【００５５】
図４に示すように、レンズホルダ１５の姿勢が傾いた設定制御が行われているときに、受光素子での受光検知出力がサーボ制御部２６に与えられ、光オフセット成分を除去するための補正値が演算される。
【００５６】
図２に示すように、光ディスクＤに対する通常の再生動作を行っているとき、トラッキングエラーの解消のために、レンズホルダ１５がラジアル方向（Ｒａｄ）へ移動させられるトラッキング補正範囲（±Ｓｔ）は最大で±０．４ｍｍ程度である。レンズホルダ１５がこの範囲で移動している限り、レンズホルダ１５の下部当接部１５ｂが規制部７の上方に対向することはない。したがって、レンズホルダ１５がラジアル方向（Ｒａｄ）へ、トラッキング補正範囲（±Ｓｔ）の最大範囲で動いた状態で、フォーカス補正動作のために、レンズホルダ１５が下向きに移動させられても、下部当接部１５ｂと規制部７とが当たることはなく、通常のトラッキング補正動作やフォーカス補正動作のときに、規制部７でレンズホルダ１５が傾けられることはない。
【００５７】
ただし、図３に示すように、第１の設定制御信号によってレンズホルダ１５がラジアル方向（Ｒａｄ）へ移動させられるときの移動距離Ｚｔは、一方向へのトラッキング補正範囲Ｓｔよりも長く設定されており、レンズホルダ１５がトラッキング補正範囲Ｓｔを超えて移動したときに、下部当接部１５ｂと規制部７とが上下に対向するようになっている。
【００５８】
図２に示すように、光ディスクＤに対して通常の再生動作が行われているとき、フォーカスエラーを解消するために、レンズホルダ１５が光軸方向（Ｆ）に沿って上下に移動するときのフォーカス補正範囲（±Ｓｆ）は±１．０ｍｍ程度である。これは、トラッキング補正範囲（±Ｓｔ）の移動距離の絶対値である±０．４ｍｍよりも長い。
【００５９】
図３に示すように、第１の設定制御信号によって、レンズホルダ１５がラジアル方向（Ｒａｄ）へ移動させられるときの移動距離Ｚｔは、フォーカス補正範囲（±Ｓｆ）と同等の距離に設定されることが好ましい。
【００６０】
弾性支持部材を構成する弾性体ワイヤ１４は、光軸方向（Ｆ）とラジアル方向（Ｒａｄ）とで断面係数が同じである。したがって、図３と図４に示す設定制御動作において、レンズホルダ１５がラジアル方向（Ｒａｄ）へ移動するときの距離Ｚｔを、フォーカス補正範囲（±Ｓｆ）の移動距離の絶対値と同じにしておくことによって、弾性体ワイヤ１４に通常のフォーカス補正動作のときに作用する応力よりも大きい過大な応力が作用するのを避けることができる。
【００６１】
すなわち、図３に示す設定制御でのレンズホルダ１５のラジアル方向（Ｒａｄ）への移動距離Ｚｔは、トラッキング補正範囲Ｓｔを超えた値で、フォーカス補正範囲Ｓｆ以下であることが好ましい。
【００６２】
次に、図４に示すように、第２の設定制御信号によりレンズホルダ１５が下降させられて、レンズホルダが傾き姿勢に設定されるのに必要なレンズホルダ１５の下降距離Ｚｆも、フォーカス補正範囲Ｓｆでの移動距離以下であることが好ましい。設定制御のときの下降距離Ｚｆを、通常の再生動作におけるフォーカス補正範囲Ｓｆ以下とすることで、図４に示す設定制御を行うときに、弾性体ワイヤ１４に通常フォーカス補正動作のときの応力を超える過大な応力が作用することがなくなり、弾性体ワイヤ１４の疲労を低減できる。
【００６３】
なお、レンズホルダ１５は規制部７に当たって傾けられるため、下降距離Ｚｆをフォーカス補正範囲Ｓｆ以下としても、対物レンズ１６の光軸中心線Ｏを十分に傾かせることが可能である。通常の大きさの光ピックアップ装置１では、図４に示す光軸中心線Ｏの傾く角度θを１度以上に設定し、好ましくは３度以上に設定すれば、仮に合焦点ＰｆがカバーＤｃの表面Ｄｓに一致したとしても、その反射光が発光・受光ユニット４の受光素子で検知されることはない。
【符号の説明】
【００６４】
１  光ピックアップ装置
２  移動ベース
３  反射部材
４  発光・受光ユニット
７  規制部
１０  ピックアップユニット
１１  ピックアップベース
１２  支持体
１４  弾性ワイヤ
１５  レンズホルダ
１５ａ  支持突起
１５ｂ  下部当接部
１６  対物レンズ
２０  回路部
２２  フォーカスサーボ回路
２４  トラッキングサーボ回路
２６  サーボ制御部
Ｃｆ  フォーカスコイル
Ｃｔ  トラッキングコイル
Ｄ  光ディスク
Ｄｄ  記録面
Ｄｓ  表面
Ｍ  マグネット
Ｏ  光軸中心線
Ｐｆ  合焦点
Ｆ  光軸方向
Ｒａｄ  ラジアル方法
Ｔａｎ  タンゼンシャル方向
Ｓｆ  フォーカス補正範囲
Ｓｔ  トラッキング補正範囲
Ｚｔ  移動距離
Ｚｆ  下降距離
【図１】
2014116041.tif 000003
【図２】
2014116041.tif 000004
【図３】
2014116041.tif 000005
【図４】
2014116041.tif 000006
【図５】
2014116041.tif 000007